(57)【要約】【課題】施工時において換気装置のコントローラーと連動する機器の信号の送受信が問題なく実現できるかを確認して設置位置の調整を容易に行うことができることを目的とする。【解決手段】室内の壁面に設置するコントローラーと、信号受信素子と信号受信時に発光するＬＥＤを有した前記壁面に取り付ける信号受信装置１４を備えたという構成にしたことにより、コントローラーから送信した信号を連動する機器の代わりに信号受信装置１４が受信しＬＥＤが発光するので、施工時において換気装置のコントローラーと連動する機器の信号の送受信が問題なく実現できるかを確認して設置位置の調整を容易に行うことができる空気調和機を得られる。【選択図】図３
2014163547.tif 000002
【特許請求の範囲】
【請求項１】
家屋の室内の天面または壁面または床面に設置する吹出口と、前記家屋の床下に前記吹出口と配管部とにより接続される送風ファンと、前記室内の前記壁面に設置するコントローラーと、信号受信素子と信号受信時に発光するＬＥＤを有した前記壁面に取り付ける信号受信装置を備えたことを特徴とした空気調和機。
【請求項２】
信号受信装置に発信音機能を備えたことを特徴とした請求項１に記載の空気調和機。
【請求項３】
ＬＥＤの発光を受信感度により点滅することを特徴とした請求項１に記載の空気調和機。
【発明の詳細な説明】
【技術分野】
【０００１】
本発明は、空気調和機の信号受信装置に関するものである。
【背景技術】
【０００２】
従来、この種の空気調和機は、コントローラーによって機器（換気扇）に動作信号を送信することで、機器をコントロールするものが知られている（例えば、特許文献１参照）。
【０００３】
以下、その空気調和機について図５を参照しながら説明する。
【０００４】
図５に示すように、家屋の室内１０１の壁面に設置された送信部１０２を設けたコントローラー１０３は、家屋の室内１０１の天面に設置された受信部１０４を設けた機器１０５に、送信部１０２から動作信号１０６を送信することで機器１０５を動作をコントロールしていた。
【先行技術文献】
【特許文献】
【０００５】
【特許文献１】特開平８−４２９０７号公報
【発明の概要】
【発明が解決しようとする課題】
【０００６】
このような従来の空気調和機においては、換気装置のコントローラーの取付位置は建築設計の観点から制限されることが多く、また、コントローラーを壁面に施工する時点において、連動する機器の設置の位置は決められているものの機器そのものが設置されていることは少なく、これらの理由から、換気装置のコントローラーと機器との信号の送受信が問題なく実現できるかを確認しコントローラーの設置位置の調整を行うことが困難である、という課題を有していた。
【０００７】
そこで本発明は、上記従来の課題を解決するものであり、コントローラーの施工時において換気装置のコントローラーと連動する機器の信号の送受信が問題なく実現できるかを確認して設置位置の調整を容易に行うことができる空気調和機を提供することを目的とする。
【課題を解決するための手段】
【０００８】
そして、この目的を達成するために、本発明は、家屋の室内の天面または壁面または床面に設置する吹出口と、前記家屋の床下に前記吹出口と配管部とにより接続される送風ファンと、前記室内の前記壁面に設置するコントローラーと、信号受信素子と信号受信時に発光するＬＥＤを有した前記壁面に取り付ける信号受信装置を備えたこととしたものであり、これにより所期の目的を達成するものである。
【発明の効果】
【０００９】
本発明によれば、家屋の室内の天面または壁面または床面に設置する吹出口と、前記家屋の床下に前記吹出口と配管部とにより接続される送風ファンと、前記室内の前記壁面に設置するコントローラーと、信号受信素子と信号受信時に発光するＬＥＤを有した前記壁面に取り付ける信号受信装置を備えた、という構成にしたことにより、コントローラーから送信した信号を連動する機器の代わりに信号受信装置が受信しＬＥＤが発光することとなるので、施工時において換気装置のコントローラーと連動する機器の信号の送受信が問題なく実現できるかを確認して設置位置の調整を容易に行うことができる、という効果を得ることができる。
【図面の簡単な説明】
【００１０】
【図１】本発明の実施の形態１の空気調和機の設置例を示す側概略図
【図２】同空気調和機の信号受信装置の斜視図
【図３】同空気調和機の信号受信装置の使用時の側概略図
【図４】本発明の実施の形態２の空気調和機の信号受信装置の斜視図
【図５】従来の空気調和機の設置例を示す側概略図
【発明を実施するための形態】
【００１１】
本発明の請求項１記載の給気装置は、家屋の室内の天面または壁面または床面に設置する吹出口と、前記家屋の床下に前記吹出口と配管部とにより接続される送風ファンと、前記室内の前記壁面に設置するコントローラーと、信号受信素子と信号受信時に発光するＬＥＤを有した前記壁面に取り付ける信号受信装置を備えた、という構成を有する。
【００１２】
これにより、コントローラーから送信した信号を連動する機器の代わりに信号受信装置が受信しＬＥＤが発光することとなるので、施工時において換気装置のコントローラーと連動する機器の信号の送受信が問題なく実現できるかを確認して設置位置の調整を容易に行うことができる、という効果を奏する。
【００１３】
また、信号受信装置に発信音機能を備えたという構成にしてもよい。
【００１４】
これにより、コントローラーから送信した信号を信号受信装置が受信すると発信音機能から音が発生することとなるので、施工時において換気装置のコントローラーと連動する機器の信号の送受信が問題なく実現できるかを確実に確認して設置位置の調整を容易に行うことができる、という効果を奏する。
【００１５】
また、ＬＥＤの発光を受信感度により点滅するという構成にしてもよい。
【００１６】
これにより、ＬＥＤの発光を受信感度が悪いと点滅することとなるので、より感度の良い設置位置の調整を容易に行うことができる、という効果を奏する。
【００１７】
以下、本発明の実施の形態について図面を参照しながら説明する。
【００１８】
（実施の形態１）
図１に示すように、空気を室内に供給する空気調和機１は、室内２の壁面に設置され受信部３を有した機器４（例えばエアコン）に対して動作信号１１を送信することにより機器４の動作をコントロールするコントローラー５と、床下６内に設置されコントローラー５と配線７により接続されて動作をコントロールする補助ファン８（例えば、静圧が確保できるシロッコファン）と、室内２の天面に設置され、送風ファンである補助ファン８と配管部９により接続されて空気を室内２へ吹き出す吹出口１０とを備えている。
【００１９】
コントローラー５は、ボタン１３（動作をＯＮ、ＯＦＦ、温度を変更する、運転の強弱を設定する等）を操作することにより送信部１２から動作信号１１を送信し、機器４の動作をコントロールするとともに、配線７を介して補助ファン８へ信号を送ることで、補助ファン８の動作もコントロールする。
【００２０】
この様にコントローラー５の送信部１２から動作信号１１を送信して機器４のコントロールする時、送信部１２と機器４との間に障害物（例えば家具等）がある場合や、送信部１２から送信される動作信号１１の範囲外に受信部３が設置されている場合（同壁面にコントローラー５と機器４が設置されている場合）等においては、動作信号１１は無線である赤外線であるので、受信部３へ動作信号１１を送信することができず、機器４の動作をコントロールすることができない。
【００２１】
そのため、コントローラー５を壁面に設置する時、受信部３が動作信号１１の範囲内にあることを確認した上で機器４とコントローラー５の設置位置を決めることが望ましい。
【００２２】
しかし、従来、機器４とコントローラー５の設置位置は建築設計の観点から意匠を損なわないように制限されることが多く、コントローラー５の施工において調整を行う必要がある。
【００２３】
さらに、従来、コントローラー５の施工時に機器４が取り付けられていることは少なく、実際の機器４の運転状況を試すことができないので、動作信号１１を受信部３で受信できるようにコントローラー５の設置位置を調整することが困難である。
【００２４】
そして、図２に示すように、信号受信装置１４は、動作信号１１を受信する信号受信素子を備えた受信部１５と、ＬＥＤにより点灯する発光部１６を備え、動作信号１１を受信部１５にて受信した時に発光部１６がすぐにパッと点灯する。
【００２５】
また、信号受信装置１４は裏面に両面テープを備えることで、壁面に取り付け可能な構造となる。そうすることで、室内２の壁面に穴をあけることがないので、壁面の美観性を保ちつつ、壁面に信号受信装置１４を取り付けることができる。
【００２６】
なお、信号受信装置１４はボタン電池によって駆動する。ボタン電池を用いることで、信号受信装置１４を小型化することに寄与できる。
【００２７】
つまり、図３に示すように、機器４の設置が予定されている壁面に信号受信装置１４を設置し、コントローラー５から送信される動作信号１１を受信部１５によって受信することによって、発光部１６が点灯し、動作信号１１の受信状態を確認することができる。その結果、機器４が設置される前であっても、コントローラー５と機器４の間で、動作信号１１の送受信が実現できるかを確認して、コントローラー５の設置位置の調整を容易に行うことが可能となる。
【００２８】
また、図１では、吹出口１０を室内２の天面に設置していたが、室内２の壁面または床面にも設置してもよい。
【００２９】
なお、発光部１６の点灯の間隔が、動作信号１１の受信感度が悪いと点滅し、受信感度が良いと点灯する、という設定にしてもよい。これにより、より感度の良い設置位置にコントローラー５を設置することが可能となる。
【００３０】
（実施の形態２）
図４において、図２と同様の構成要素については同一の符号を付し、その詳細な説明は省略する。
【００３１】
図４に示すように、信号受信装置１４には、発信音機能である音発信部１７を備えている。音発信部１７は受信部１５が信号を受信すると、好ましくは低いブザー形式の電子音を発する。
【００３２】
つまり、図３に示すように、信号受信装置１４の位置における動作信号１１の受信状態を確認する時に、発光部１６の点灯を目視によって確認するだけでなく、図４に示すように音発信部１７から発生する電子音を聞くことによっても確認することができる。
【００３３】
これにより、施工者が発光部１６の点灯を視認できない環境に立っていたとしても、動作信号１１の信号受信状態を容易に確認することが可能となる。
【産業上の利用可能性】
【００３４】
本発明にかかる空気調和機は、コントローラーから送信した信号を連動する機器の代わりに信号受信装置が受信しＬＥＤが発光することとなるので、施工時において換気装置のコントローラーと連動する機器の信号の送受信が問題なく実現できるかを確認して設置位置の調整を容易に行うことができる空気調和機等として有用である。
【符号の説明】
【００３５】
１  空気調和機
２  室内
３  受信部
４  機器
５  コントローラー
６  床下
７  配線
８  補助ファン
９  配管部
１０  吹出口
１１  動作信号
１２  送信部
１３  ボタン
１４  信号受信装置
１５  受信部
１６  発光部
１７  音発信部
【図１】
2014163547.tif 000003
【図２】
2014163547.tif 000004
【図３】
2014163547.tif 000005
【図４】
2014163547.tif 000006
【図５】
2014163547.tif 000007